(57)【要約】【課題】構造が簡素で、傘を開く際の安定性が高く、傘面全体を安定的に開いて雨よけ面を効果的に増大させる偏心雨傘を提供する。【解決手段】偏心雨傘は、中棒１を含む。中棒１上には、可動自在に下ろくろ２が嵌設される。中棒１の頂部及び下ろくろ２には、受骨３が取り付けられる。受骨３は、第１の親骨３１と第２の親骨３２とが交差されて構成され、中棒１の一側に向かって延び、第１の親骨３１及び第２の親骨３２の外伸端には、互いに対応したサブ上ろくろ４及びサブ下ろくろ５が取り付けられ、サブ上ろくろ４及びサブ下ろくろ５には、傘骨６が取り付けられる。傘骨６により支えられた傘面の中心位置が中棒１と偏心する。中棒１の頂部又は下ろくろ２の上端には、位置決め傘骨８が枢着される位置決め部７が設けられる。位置決め傘骨８の内段部には、受骨３が枢着される。【選択図】図１
0003185972.tif 000002
【実用新案登録請求の範囲】
【請求項１】
中棒を含む偏心雨傘であって、
前記中棒上には、可動自在に下ろくろが嵌設され、前記中棒の頂部及び前記下ろくろには、受骨が取り付けられ、前記受骨は、第１の親骨と第２の親骨とが交差されて構成され、前記中棒の一側に向かって延び、前記第１の親骨及び前記第２の親骨の外伸端には、互いに対応したサブ上ろくろ及びサブ下ろくろが取り付けられ、前記サブ上ろくろ及び前記サブ下ろくろには、傘骨が取り付けられ、前記傘骨により支えられた傘面の中心位置が前記中棒と偏心し、
前記中棒の頂部又は前記下ろくろの上端には、位置決め傘骨が枢着される位置決め部が設けられ、前記位置決め傘骨の内段部には、前記受骨が枢着され、傘を開く際、前記位置決め部により前記位置決め傘骨が左右に揺れないように位置決めし、前記傘面全体が安定的に開かれることを特徴とする偏心雨傘。
【請求項２】
前記位置決め部は、前記中棒の頂部に設けられ、
前記位置決め傘骨には、位置決め補助骨が設けられ、
前記位置決め補助骨は、前記下ろくろと前記位置決め傘骨との間に配設され、一端が前記位置決め傘骨に枢着され、他端が前記下ろくろに枢着されることを特徴とする請求項１に記載の偏心雨傘。
【請求項３】
前記位置決め部は、前記下ろくろの上端に設けられ、傘中心の内側へ向けた枢着孔が形成され、
前記位置決め傘骨は、前記受骨を含み、前記受骨は、外端が外親骨に枢着され、内段部に形成された位置決め孔と前記第１の親骨の端部とが接続され、前記位置決め部の前記枢着孔に枢着されることを特徴とする請求項１に記載の偏心雨傘。
【請求項４】
前記位置決め部は、前記下ろくろの上端に設けられ、傘の中心へ向かうように外側に形成された枢着孔を有し、
前記位置決め傘骨は、前記受骨を含み、
前記受骨の外端には、外親骨が枢着され、
内段部に形成した位置決め孔と、前記第１の親骨の端部とが交差されて前記位置決め部の前記枢着孔に枢着されることを特徴とする請求項１に記載の偏心雨傘。
【請求項５】
前記外親骨の内端と前記第１の親骨との間には、第１の引線が設けられることを特徴とする請求項３又は４に記載の偏心雨傘。
【請求項６】
前記受骨の内端と前記第２の親骨との間には、第２の引線が設けられることを特徴とする請求項３又は４に記載の偏心雨傘。
【請求項７】
前記第１の引線はＶ字状引線又は１対の直線状引線であることを特徴とする請求項５に記載の偏心雨傘。
【請求項８】
前記第２の引線はＵ字状引線又は１対の引杆であることを特徴とする請求項６に記載の偏心雨傘。
【請求項９】
前記受骨の内端は、上から下方向にかけて小さくなっているＶ字状に形成されることを特徴とする請求項３又は４に記載の偏心雨傘。
【請求項１０】
前記受骨の内端は、平らな形状に形成されていることを特徴とする請求項３又は４に記載の偏心雨傘。
【請求項１１】
前記位置決め傘骨は、中親骨を有し、
前記位置決め傘骨の前記中親骨は、前記位置決め部に内嵌又は外嵌されて枢着されることを特徴とする請求項１又は２に記載の偏心雨傘。
【請求項１２】
非折り畳み傘、２段折り畳み傘又は３段以上の折り畳み傘であることを特徴とする請求項１乃至４の何れか１に記載の偏心雨傘。
【請求項１３】
手動開閉式傘、自動開式傘、自動閉式傘又は自動開閉式傘であることを特徴とする請求項１乃至４の何れか１に記載の偏心雨傘。
【請求項１４】
前記中棒の頂部及び前記下ろくろの上端には、前記位置決め部がそれぞれ設けられていることを特徴とする請求項１に記載の偏心雨傘。
【考案の詳細な説明】
【技術分野】
【０００１】
本考案は、生活用品の分野に関し、特に、傘具に関する。
【背景技術】
【０００２】
傘具は、日除け又は防水機能を有するため、幅広く使用されている。従来の傘具は、折り畳むことができない傘（即ち、非折り畳み傘）及び折り畳み傘を含み、非折り畳み傘又は折り畳み傘のどちらも傘面の中心から下方へ中棒が立設し、傘面は中棒から外周へ向かって放射線状に張り出された傘骨により支えられている。これら傘具を使用する際、ユーザが中棒を手で握ると、中棒の方向が傘面の中心部下方ではなく後方へ変位するため、傘面により遮られる方向が変位し、ユーザ後方の雨を効果的に遮ることができずに使用することが不便であった。また、従来の傘具を使用する際、傘骨が外方へ延びる長さは同じであるため傘面が支えられて形成される形状が円形を呈し、傘面がユーザに対して前方へ変位し、前側の傘縁が相対的に下方へ沈んで視線を遮り、前方の視界に悪影響を与えて安全面で問題点が存在した。
【０００３】
本考案者は、従来の傘具の欠点及び不便性に鑑み、雨よけ面積を増大しながら傘面全体を安定的に開くことができる信頼性の高い偏心雨傘を開発した。
【考案の概要】
【考案が解決しようとする課題】
【０００４】
本考案の目的は、構造が簡素で、傘を開く際の安定性が高く、傘面全体を安定的に開いて雨よけ面を効果的に増大させる偏心雨傘を提供することにある。
【課題を解決するための手段】
【０００５】
上記課題を解決するために、本考案の第１の形態によれば、中棒を含む偏心雨傘であって、前記中棒上には、可動自在に下ろくろが嵌設され、前記中棒の頂部及び前記下ろくろには、受骨が取り付けられ、前記受骨は、第１の親骨と第２の親骨とが交差されて構成され、前記中棒の一側に向かって延び、前記第１の親骨及び前記第２の親骨の外伸端には、互いに対応したサブ上ろくろ及びサブ下ろくろが取り付けられ、前記サブ上ろくろ及び前記サブ下ろくろには、傘骨が取り付けられ、前記傘骨により支えられた傘面の中心位置が前記中棒と偏心し、前記中棒の頂部又は前記下ろくろの上端には、位置決め傘骨が枢着される位置決め部が設けられ、前記位置決め傘骨の内段部には、前記受骨が枢着され、傘を開く際、前記位置決め部により前記位置決め傘骨が左右に揺れないように位置決めし、前記傘面全体が安定的に開かれることを特徴とする偏心雨傘が提供される。
【０００６】
前記位置決め部は、前記中棒の頂部に設けられ、前記位置決め傘骨には、位置決め補助骨が設けられ、前記位置決め補助骨は、前記下ろくろと前記位置決め傘骨との間に配設され、一端が前記位置決め傘骨に枢着され、他端が前記下ろくろに枢着されることが好ましい。
【０００７】
前記位置決め部は、前記下ろくろの上端に設けられ、傘中心の内側へ向けた枢着孔が形成され、前記位置決め傘骨は、前記受骨を含み、前記受骨は、外端が外親骨に枢着され、内段部に形成された位置決め孔と前記第１の親骨の端部とが接続され、前記位置決め部の前記枢着孔に枢着されることが好ましい。
【０００８】
前記位置決め部は、前記下ろくろの上端に設けられ、傘の中心へ向かうように外側に形成された枢着孔を有し、前記位置決め傘骨は、前記受骨を含み、前記受骨の外端には、外親骨が枢着され、内段部に形成した位置決め孔と、前記第１の親骨の端部とが交差されて前記位置決め部の前記枢着孔に枢着されることが好ましい。
【０００９】
前記外親骨の内端と前記第１の親骨との間には、第１の引線が設けられることが好ましい。
【００１０】
前記受骨の内端と前記第２の親骨との間には、第２の引線が設けられることが好ましい。
【００１１】
前記第１の引線はＶ字状引線又は１対の直線状引線であることが好ましい。
【００１２】
前記第２の引線はＵ字状引線又は１対の引杆であることが好ましい。
【００１３】
前記受骨の内端は、上から下方向にかけて小さくなっているＶ字状に形成されることが好ましい。
【００１４】
前記受骨の内端は、平らな形状に形成されていることが好ましい。
【００１５】
前記位置決め傘骨は、中親骨を有し、前記位置決め傘骨の前記中親骨は、前記位置決め部に内嵌又は外嵌されて枢着されることが好ましい。
【００１６】
非折り畳み傘、２段折り畳み傘又は３段以上の折り畳み傘であることが好ましい。
【００１７】
手動開閉式傘、自動開式傘、自動閉式傘又は自動開閉式傘であることが好ましい。
【００１８】
前記中棒の頂部及び前記下ろくろの上端には、前記位置決め部がそれぞれ設けられていることが好ましい。
【考案の効果】
【００１９】
本考案の偏心雨傘は、構造が簡素で科学的合理性を有し、製作が容易なため投資コストが安く、使用が簡便なために傘具の実用性を大幅に向上させることができる上、手動開閉傘機構、半自動開閉傘機構、全自動開閉傘機構などへ幅広く応用することができる。
【図面の簡単な説明】
【００２０】
【図１】図１は、本考案の第１実施形態に係る偏心雨傘の位置決め部を示す側面図である。
【図２】図２は、本考案の第１実施形態に係る偏心雨傘を使用するときの状態を示す斜視図である。
【図３】図３は、本考案の第１実施形態に係る位置決め補助骨を示す斜視図である。
【図４】図４は、本考案の第１実施形態に係る偏心雨傘の位置決め部を３段式折り畳み傘へ応用するときの状態を示す側面図である。
【図５】図５は、本考案の第１実施形態に係る偏心雨傘の位置決め傘骨を位置決め部の外側へ枢着するときの状態を示す斜視図である。
【図６】図６は、本考案の第１実施形態に係る偏心雨傘の位置決め傘骨を位置決め部の外側へ枢着するときの状態を示す側面図である。
【図７】図７は、本考案の第２実施形態に係る偏心雨傘の位置決め部を示す斜視図である。
【図８】図８は、本考案の他の実施形態に係る親骨を示す斜視図である。
【図９】図９は、本考案の第３実施形態に係る偏心雨傘の位置決め部を示す斜視図である。
【図１０】図１０は、図９の受骨を示す斜視図である。
【図１１】図１１は、図７の第１の引線を示す斜視図である。
【図１２】図１２は、図７の他の実施形態に係る第１の引線を示す斜視図である。
【図１３】図１３は、図８の第１の引線を示す斜視図である。
【図１４】図１４は、図８の第１の引線の他の実施形態を示す斜視図である。
【図１５】図１５は、本考案の第２の引線を示す斜視図である。
【図１６】図１６は、本考案の他の実施形態に係る第２の引線を示す斜視図である。
【図１７】図１７は、本考案の一実施形態に係る偏心雨傘を自動開閉傘（ワンタッチ傘）へ応用するときの状態を示す側面図である。
【図１８】図１８は、本考案の他の実施形態に係る偏心雨傘を自動開閉傘へ応用するときの状態を示す側面図である。
【図１９】図１９は、本考案の一実施形態に係る偏心雨傘を非折り畳み傘の位置決め部へ応用するときの状態を示す側面図（１）である。
【図２０】図２０は、本考案の一実施形態に係る偏心雨傘を非折り畳み傘の位置決め部へ応用するときの状態を示す側面図（２）である。
【図２１】図２１は、図２０の使用状態を示す斜視図である。
【図２２】図２２は、本考案の一実施形態に係る偏心雨傘を閉じたときの位置決め部を示す側面図である。
【図２３】図２３は、本考案の中棒の頂部及び下ろくろ上端に位置決め部を同時に設けたときの状態を示す側面図である。
【考案を実施するための形態】
【００２１】
以下、本考案の実施形態について図に基づいて説明する。なお、これによって本考案が限定されるものではない。
【００２２】
図１及び図２を参照する。図１及び図２に示すように、本考案の第１実施形態に係る偏心雨傘は、中棒１を含む。中棒１上には、可動自在に下ろくろ２が嵌設される。中棒１の頂部及び下ろくろ２には、受骨３が取り付けられる。受骨３は、第１の親骨３１と第２の親骨３２とが交差されて構成され、中棒１の一側に向けて延びる。第１の親骨３１及び第２の親骨３２の外伸端には、互いに対応したサブ上ろくろ４及びサブ下ろくろ５が設けられる。サブ上ろくろ４及びサブ下ろくろ５には、傘骨６が取り付けられる。傘骨６により支えられた傘面１０の中心位置は、中棒１と偏心する。下ろくろ２を中棒１上で摺動させると受骨３が開閉され、サブ上ろくろ４とサブ下ろくろ５とが連動して作動し、傘骨６の開閉を行う。偏心雨傘上には、位置決め部７が設けられる。位置決め部７は、中棒１の頂部に設けられ、位置決め傘骨８が枢着される。この位置決め傘骨８の内端には、受骨３の第１の親骨３１が枢着され、傘を開く際、位置決め部７により位置決め傘骨８が左右に揺れないように位置決めし、傘面全体を安定的に開く。
【００２３】
図１及び図２に示すように、本実施形態の４段式折り畳み傘の傘骨６は、内親骨６１、第１の中親骨６２、第２の中親骨６３、外親骨６４及び補助骨６５を含む。内親骨６１の内端には、サブ上ろくろ４が枢着される。補助骨６５の内端には、サブ下ろくろ５が枢着される。補助骨６５の外端には、第１の中親骨６２が枢着される。内親骨６１の外端には、補助骨６５の中段部が枢着される。中棒１の頂部には、位置決め部７が設けられる。位置決め部７上には、位置決め傘骨８が枢着される。位置決め傘骨８の一端には、受骨３の第１の親骨３１が枢着される。下ろくろ２を中棒１上で摺動させて受骨３の２つの交差杆を開閉させると、サブ上ろくろ４とサブ下ろくろ５とを連動させ、内親骨６１、第１の中親骨６２、第２の中親骨６３、外親骨６４及び補助骨６５を開閉し、これにより傘を開閉することができる上、傘面を複数本の傘骨６及びサブ上ろくろ４の頂上へ固定させ、傘骨６により支えられた傘面中心が中棒１と偏心し、偏心雨傘を得るとともに、傘を開く際、位置決め部７により位置決め傘骨８が左右に揺れずに位置決めされ、傘面全体を安定的に開くことができる。
【００２４】
図３を参照する。図３に示すように、位置決め傘骨８には、位置決め補助骨８２がさらに設けられる。位置決め補助骨８２は、下ろくろ２と位置決め傘骨８との間に設けられ、一端が位置決め傘骨８上に枢着され、他端が下ろくろ２上に枢着される。位置決め補助骨８２は、協働で位置決め傘骨８を位置決め支持し、位置決め傘骨８を開くときに左右に揺れないように位置決めし、傘面全体を安定的に開く。
【００２５】
図４〜図６を参照する。図４〜図６に示すように、本考案の一実施形態に係る偏心雨傘は、手動で２段式又は３段式に折り曲げてもよく、第１実施形態では、３段式折り曲げ傘を例にとり説明する。傘骨６は、内親骨６１、中親骨６６、外親骨６４及び補助骨６５を含んだ３段式折り曲げ傘骨である。内親骨６１の内端には、サブ上ろくろ４が枢着される。補助骨６５の内端には、サブ下ろくろ５が枢着される。補助骨６５の外端には、内親骨６１の中段部が枢着される。中棒１の頂部には、位置決め部７が設けられる。位置決め部７上には位置決め傘骨８が枢着される。位置決め傘骨８は、中親骨８３を有し、位置決め傘骨８の中親骨８３に位置決め部７を内嵌して枢着したり、必要に応じて位置決め傘骨８の中親骨８３に位置決め部７を外嵌して枢着したりしてもよく（図５及び図６参照）、位置決め部７を利用して傘を開く際、位置決め傘骨８が左右に揺れないように位置決めし、傘面全体を安定的に開く。
【００２６】
図２２を参照する。図２２に示すように、傘を閉める際、受骨３、サブ上ろくろ４、サブ下ろくろ５及び傘骨６を中棒１の一側で収納すると、位置決め傘骨８が中棒１の他側で収納され、サブ上ろくろ４が中棒１の頂端より高く、受骨３、サブ上ろくろ４、サブ下ろくろ５及び傘骨６を中棒１に向けてより深く収納することができるため、傘具の収納体積を小型化し、占有体積が小さくなるため携行性が高まる。
【００２７】
図７及び図８を参照する。図７及び図８に示すように、本考案の一実施形態に係る位置決め部７は、下ろくろ２の上端に設けてもよい。位置決め部７には、傘中心の内側へ向かう枢着孔７１が形成される。位置決め傘骨８は、受骨８１をさらに含む。受骨８１は、外端が外親骨６ａに枢着され、内端が上から下方向にかけて小さくなっているＶ字状であるが、勿論、本実施形態の受骨８１は、必要に応じて内端を平らな形状に形成してもよいし（図８参照）、受骨８１の内段に設けた位置決め孔８１１と第１の親骨３１の端部とを接続し、位置決め部７の枢着孔７１上に枢着してもよい。本実施形態は、受骨８１を利用して位置決め部７に嵌合させ、傘を開いて使用する際、位置決め部７を受骨３へ対応するように支持して位置決めするとともに、傘面の張力を高めて位置決め傘骨８が左右に揺れないように位置決めし、傘面全体を安定的に開くことができるようにしてもよい。
【００２８】
図９及び図１０を参照する。図９及び図１０に示すように、本実施形態の位置決め部７は、下ろくろ２の上端に設けられる。位置決め部７は、傘中心の外側へ向けて形成された枢着孔７１を有し、位置決め傘骨８は、受骨８１を含む。受骨８１の外端には、外親骨６ａが枢着される。受骨８１の内端は、上から下方向にかけて小さくなっているＶ字状に形成されているが、勿論、本実施形態の受骨８１は、必要に応じて内端を平らな形状に形成し（図１０参照）、受骨８１の内段部には位置決め孔８１１が設けられて第１の親骨３１の端部と接続され、位置決め部７の枢着孔７１に一緒に枢着される。本実施形態は、受骨８１を利用して位置決め部７に嵌合させ、傘を開いて使用する際、位置決め傘骨８を位置決めして左右に揺れないようにし、具体的な形式は必要に応じて決めることができ、これらの構造は傘面全体を安定的に開く作用を得ることができる。
【００２９】
図１１〜図１４を参照する。図１１〜図１４に示すように、本考案の一実施形態に係る偏心雨傘の外親骨６ａの内端と第１の親骨３１との間には、第１の引線８４が設けられている。本実施形態の第１の引線８４はＶ字状引線であるが、勿論、必要に応じて１対の直線状引線に形成してもよい（図１２及び図１４参照）。図１５及び図１６に示すように、本実施形態の受骨８１の内端と第２の親骨３２との間には、第２の引線８５が設けられ、本実施形態の第２の引線８５のＵ字状引線はＵ字状引線であるが、勿論、必要に応じて１対の引杆に形成してもよい（図１６参照）。
【００３０】
また、上述の実施形態の位置決め部７、受骨８１、受骨３及び引線８４，８５は、カシメ固定、係合などの方式により枢着させてもよい。
【００３１】
図１９〜図２１を参照する。図１９〜図２１に示すように、本実施形態の非折り畳み傘の傘骨６は直骨６７を有する。直骨６７の内端には、サブ上ろくろ４が枢着される。補助骨６５の内端には、サブ下ろくろ５が枢着される。補助骨６５の外端は、直骨６７の中段部に枢着される。中棒１の頂部には位置決め部７が設けられている。位置決め部７上には、位置決め傘骨８が枢着されている。位置決め傘骨８の内端は、位置決め部７上に枢着されるか、図２０又は図２１に示すように、位置決め部７上に位置決め傘骨８が枢着される。位置決め傘骨８の内段部には、受骨３の第１の親骨３１が枢着され、傘を開く際、位置決め部７により位置決め傘骨８が左右に揺れないように位置決めされ、傘面全体を安定的に開くことができる。
【００３２】
本考案に係る偏心傘は、非折り畳み傘、２段式折り畳み傘又は３段式折り畳み傘へ応用することができる上、勿論、図１７及び図１８に示すように、従来技術の半自動開閉傘機構及び全自動開閉傘機構へ応用し、手動で傘を開閉したり、半自動で傘を開閉したり、全自動で傘を開閉したりすることができ、傘を開いて使用する際、位置決め部７を受骨３と組み合わせて支えて位置決めを行い、同様に傘面の張力を支持することにより位置決め傘骨８が左右に揺れないように位置決めし、傘面全体を安定的に開いて人々のニーズを満たすことができる。
【００３３】
また、図２３に示すように、中棒１の頂部及び下ろくろ２の上端に位置決め部７をそれぞれ設け、中棒１の頂部及び下ろくろ２の上端を利用し、同時に位置決め部７を設け、傘を開く際に位置決め傘骨８が左右に揺れないように位置決めすることにより、傘面全体を安定的に開くことができる。
【００３４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３５】
１      中棒
２      下ろくろ
３      受骨
４      サブ上ろくろ
５      サブ下ろくろ
６      傘骨
６ａ    外親骨
７      位置決め部
８      位置決め傘骨
１０    傘面
３１    第１の親骨
３２    第２の親骨
６１    内親骨
６２    第１の中親骨
６３    第２の中親骨
６４    外親骨
６５    補助骨
６６    中親骨
６７    直骨
７１    枢着孔
８１    受骨
８２    位置決め補助骨
８３    中親骨
８４    第１の引線
８５    第２の引線
８１１  位置決め孔
【図１】
0003185972.tif 000003
【図２】
0003185972.tif 000004
【図３】
0003185972.tif 000005
【図４】
0003185972.tif 000006
【図５】
0003185972.tif 000007
【図６】
0003185972.tif 000008
【図７】
0003185972.tif 000009
【図８】
0003185972.tif 000010
【図９】
0003185972.tif 000011
【図１０】
0003185972.tif 000012
【図１１】
0003185972.tif 000013
【図１２】
0003185972.tif 000014
【図１３】
0003185972.tif 000015
【図１４】
0003185972.tif 000016
【図１５】
0003185972.tif 000017
【図１６】
0003185972.tif 000018
【図１７】
0003185972.tif 000019
【図１８】
0003185972.tif 000020
【図１９】
0003185972.tif 000021
【図２０】
0003185972.tif 000022
【図２１】
0003185972.tif 000023
【図２２】
0003185972.tif 000024
【図２３】
0003185972.tif 000025